(57)【要約】【課題】耐久性に優れ、意匠の自由度が高く、折り畳み傘を使用しているときには折り畳むことができる収納体を備えた折り畳み傘を提供する。【解決手段】  折り畳み傘（１）とこれを収納する収納体（２）とからなる組合せとして構成する。折り畳み傘（１）の柄（６）は、嵌合部（８）を備えたカップ状に形成し、嵌合部（８）にはＯリング（１１）を設ける。収納体（２）は、防水加工された１枚の円形状を呈する布地（２６）から無縫製で形成した袋部（１４）と、この袋部（１４）の開口部に設けられているリング部（１５）とから構成する。折り畳み傘（１）を収納するとき、柄（６）の嵌合部（８）が、リング部（１５）に水密に嵌合される。従って水は外部に漏れない。【選択図】  図１
0003166994.tif 000002
【実用新案登録請求の範囲】
【請求項１】
折り畳み傘と該折り畳み傘を収納する収納体の組合せからなり、
前記収納体は、防水加工が施された布地から一方が開口した袋状に形成されている袋部と、該袋部の開口部分に設けられているリング部とから構成され、
前記リング部は、折り畳み傘が収納されるとき該折り畳み傘の柄の部分が水密的に嵌合されるようになっていることを特徴とする折り畳み傘と収納体の組合せ。
【請求項２】
請求項１に記載の組合せにおいて、前記収納体の袋部は、略円形の１枚の布地から、該布地の周囲が絞られるようにしてすぼめられ、それによって無縫製で形成されていることを特徴とする折り畳み傘と収納体の組合せ。
【請求項３】
請求項１または２に記載の組合せにおいて、前記折り畳み傘の柄は、一方が開口したカップ状を呈しており、該カップの開口部分には前記リング部と嵌合する嵌合部が形成されており、前記嵌合部にはゴム製のＯリングが嵌められていることを特徴とする折り畳み傘と収納体の組合せ。
【請求項４】
請求項１〜３のいずれかの項に記載の組合せにおいて、前記収納体のリング部にはストラップが設けられていることを特徴とする折り畳み傘と収納体の組合せ。
【考案の詳細な説明】
【技術分野】
【０００１】
本考案は、折り畳み傘と収納体の組合せに関するものであり、傘が使用されて濡れた状態であっても、これを畳んで収納体に収納すると外部に水滴が漏れ出さないようになっている、折り畳み傘と収納体の組合せに関するものである。
【背景技術】
【０００２】
折り畳み傘は、広げると十分な大きさになって雨天時に対応することができ、折り畳むと十分に小さくなって携帯に適している。従って旅行時、あるいは天候の不順な季節にはハンドバック、カバン等に入れて携帯されることが多い。しかしながら、使用されて濡れた状態の折り畳み傘をハンドバック、カバン等に入れると、これらの内側を濡らしてしまう。そうすると、これらに収納されている大切な書類や本、あるいは他の収納品を濡らしてしまい好ましくない。折り畳み傘には、周知のように合成繊維からなる布製のカバーが備えられている。しかしながら、このような布製のカバーは、撥水加工はされているが格別に防水加工はされていない。従って、濡れた状態の折り畳み傘が布製のカバーに入れられても、水滴はカバーの外にしみ出してしまうので、ハンドバック、カバン内の大切な収納品を濡らしてしまうことになる。ハンドバック、カバン等に入れずに携帯するようにしても、折り畳み傘が濡れていると、手や衣服が濡れてしまうので好ましくない。
【先行技術文献】
【特許文献】
【０００３】
【特許文献１】特開２００２−２９１５０９号公報
【０００４】
特許文献１には、収納体に収納すると実質的に完全に防水することができる収納体付きの折り畳み傘が記載されている。特許文献１に記載の折り畳み傘によると、収納体は、円筒状を呈していると共に円筒の一方の端面が塞がれて底になっている収納部と、この収納部の開口部分に設けられている柄体嵌合部とから構成されている。収納部は防水性素材から形成されており、柄体嵌合部は、収納体に収納された折り畳み傘の柄と水密的に嵌合するようになっているので、折り畳み傘が濡れていても収納体に収納されると水滴は外部に漏れ出さない。従って、折り畳み傘をハンドバック、カバン等に入れても、これらの内部を濡らしてしまうことはない。また折り畳み傘を直接手でもって携帯する場合であっても、手や衣服を濡らしてしまうことはない。
【考案の概要】
【考案が解決しようとする課題】
【０００５】
特許文献１に記載の収納体付き折り畳み傘によっても、収納体に収納すれば傘が濡れた状態でも水滴が外部に漏れることはないので、ハンドバック、カバン等に入れることができるし、手や衣服を濡らすことなく携帯することができる。しかしながら、問題点も見受けられる。例えば、折り畳み傘を使用しているときに収納体が邪魔になる問題がある。特許文献１に記載の収納体は、格別に折り畳むことができるようには構成されていないので、コンパクトにすることができず、折り畳み傘を使用しているときには邪魔になってしまう。また特許文献１に記載の収納体には耐久性に関しても問題が認められる。文献には、具体的な素材については記載されていないが、収納体の収納部は合成樹脂から形成されているように見受けられる。折り畳み傘は携帯するときに、他のものにぶつかったりすることがあるが、収納部が合成樹脂から形成されていると破損し易い。そうすると水が漏れてしまう。収納部を肉厚に形成して耐久性を確保しようとすると、重量が大きくなって携帯に適さなくなってしまう。そうすると、このような対策を採ることもできない。さらに特許文献１に記載の収納体には、従来の布製のカバーに比して、意匠の自由度が小さいという問題も認められる。従来の布製のカバーは、折り畳み傘に張られている布地と同じ布地から形成されていて素材が同一なので、美観に優れている。つまり色彩、模様を同一にすることができるので意匠性が高い。しかしながら、特許文献１に記載の収納体の収納部は、折り畳み傘の布地と異なる素材から形成されているので、類似した色彩、模様を施したとしても表面の性状、すなわちテクスチャが異なっていて、必ずしも美観に優れていない。つまりデザインは制約を受けてしまうので意匠の自由度は小さい。
【０００６】
本考案は上述の事情に鑑みてなされたものであり、折り畳み傘が濡れていても、収納体に収納すると実質的に完全に防水することができ、耐久性に優れていると共に意匠の自由度が高く、折り畳み傘を使用しているときには折り畳むことができる収納体を備えた折り畳み傘を提供することを目的としている。
【課題を解決するための手段】
【０００７】
以上の課題を解決するために、本考案は、折り畳み傘とこれを収納する収納体とからなる組合せとして構成される。収納体は、一方が開口した袋状に形成されている袋部と、該袋部の開口部分に設けられているリング部とから構成する。袋部は防水加工が施された布地から無縫製で形成する。リング部は折り畳み傘が収納されるとき該折り畳み傘の柄の部分が水密的に嵌合されるように構成する。また傘の柄は、カップ状に形成し、該カップの開口部分にはリング部と嵌合する嵌合部を形成する。この嵌合部にはゴム製のＯリングを設ける。
【０００８】
かくして請求項１に記載の考案は、折り畳み傘と該折り畳み傘を収納する収納体の組合せからなり、前記収納体は、防水加工が施された布地から一方が開口した袋状に形成されている袋部と、該袋部の開口部分に設けられているリング部とから構成され、前記リング部は、折り畳み傘が収納されるとき該折り畳み傘の柄の部分が水密的に嵌合されるようになっていることを特徴とする折り畳み傘と収納体の組合せとして構成される。
請求項２に記載の考案は、請求項１に記載の組合せにおいて、前記収納体の袋部は、略円形の１枚の布地から、該布地の周囲が絞られるようにしてすぼめられ、それによって無縫製で形成されるように構成される。
請求項３に記載の考案は、請求項１または２に記載の組合せにおいて、前記折り畳み傘の柄は、一方が開口したカップ状を呈しており、該カップの開口部分には前記リング部と嵌合する嵌合部が形成されており、前記嵌合部にはゴム製のＯリングが嵌めらるように構成される。
請求項４に記載の考案は、請求項１〜３のいずれかの項に記載の組合せにおいて、前記収納体のリング部にはストラップが設けられるように構成される。
【考案の効果】
【０００９】
本考案によると、折り畳み傘と収納体の組合せにおいて、収納体は、防水加工が施された布地から一方が開口した袋状に形成されている袋部と、該袋部の開口部分に設けられているリング部とから構成されているので、収納体は単独で折り畳むことが可能である。従って、折り畳み傘を使用しているときには小さく折り畳んで邪魔になることがない。また袋部は布地から構成されているので、破損することがなく耐久性は高いし、折り畳み傘に張られている布地と同じ布地から構成することができ意匠の自由度が高い。そして、袋部の布地は防水加工が施され、リング部は、折り畳み傘が収納されるとき該折り畳み傘の柄の部分が水密的に嵌合されるようになっているので、収納体に収納された折り畳み傘が濡れていても、実質的に水が外部に漏れることがない。従ってハンドバック、カバン等に入れてもこれらの内部を濡らすことがない。また、他の考案によると収納体の袋部は、略円形の１枚の布地から、該布地の周囲が絞られるようにしてすぼめられ、それによって無縫製で形成されているので、劣化しやすく漏れが生じやすい縫製部分がなく、長期間に渡って使用しても防水効果は落ちない。さらに他の考案によると、折り畳み傘の柄は、一方が開口したカップ状を呈しており、該カップの開口部分にはリング部と嵌合する嵌合部が形成されており、嵌合部にはゴム製のＯリングが嵌められているので、シール効果は高い。そして、収納体のリング部にストラップが設けられている考案によると、ストラップをハンドバック、カバン等の適切な部分に取り付けるようにしておくと、折り畳み傘を使用中であっても、収納体が紛失してしまうことがないという効果が得られる。
【図面の簡単な説明】
【００１０】
【図１】本考案の実施の形態に係る折り畳み傘と収納体を示す斜視図である。
【図２】本実施の形態に係る収納体のリング部を示す斜視図である。
【図３】本考案の形態に係る収納体を製造する方法を模式的に示す図であり、その（ア）〜（ウ）は、それぞれの製造工程を示す斜視図である。
【考案を実施するための形態】
【００１１】
以下、本考案の実施の形態に係る折り畳み傘１と、この折り畳み傘１を収納する収納体２について説明する。
本実施の形態に係る折り畳み傘１は、図１の（ア）に折り畳まれた状態が示されているが、従来の折り畳み傘と略同様に構成されている。すなわち、折り畳まれた状態を維持するために巻かれている帯５を外せば、傘部４は開くことができ、傘として使用することができ、折り畳んで帯５を巻けば、図１の（ア）のように畳むことができる。本実施の形態に係る折り畳み傘１においては、持ち手である柄６に特徴がある。すなわち柄６は合成樹脂から形成され、一方が開口した所定の肉厚の容器、つまりカップ状を呈している。カップの周縁部には、フランジ部７が形成されフランジ部７から所定の高さだけ円筒状の部分が形成されている。この円筒状の部分は、収納体２のリング部が嵌合する嵌合部８になっている。嵌合部８の外周面には、所定の形状からなる浅い溝１０、１０、…が複数個形成されている。この浅い溝１０、１０、…は、収納体２のリング部に設けられている突起に係合する溝である。嵌合部８には、フランジ部７に接するようにゴム製のＯリング１１が設けられている。これによって、柄６を収納体２のリングに嵌合させると、しっかりとシールされることになる。柄６の外周面には、縦方向の溝１２、１２、…が複数本形成されており、手で柄６を持ったときに滑らないようになっている。
【００１２】
本実施の形態に係る収納体２は、１枚の布地から縦長の袋状に形成されている袋部１４と、袋部１４の開口部分に設けられているリング部１５とから構成されている。袋部１４は、折り畳み傘４に張られている布地と同じ布地から形成されているが、布地の裏面、すなわち収納体２の内側に対応する面は塩化ビニルによってコーティングされている。つまり防水加工が施されている。袋部１４は、このような布地から後で説明するように無縫製で形成されている。
【００１３】
リング部１５は、図２に分解された状態が示されているが、所定の高さの円筒状を呈するリング部本体１７と、このリング部本体１７に嵌め合わされる、布地押さえリング１８とから構成されている。リング部本体１７は合成樹脂から筒状に形成され、外周面には段部が形成されている。従って外周面には、この段部によって小径になっている小径部２０と、大径になっている大径部２１が形成されている。布地押さえリング１８は、この小径部２０に嵌め込まれることになる。リング本体１７の内周面には、所定の形状の突起２２、２２、…が形成され、折り畳み傘１の柄６に形成されている浅い溝１０、１０、…に係合するようになっている。リング部本体１７には、ストラップ２４が取り付けられている。このストラップ２４にはコネクタ２３が設けられており、コネクタ２３によって必要に応じて接続したり切り離すことができる。このストラップ２４によって、収納体２を適宜、希望する部分、例えばカバンの持ち手の部分に取り付けることができる。布地押さえリング１８は、薄肉に形成されている。薄肉に形成されているがアルミ合金からなるので耐久性は高い。これによって袋部１４を形成している布地を押さえるようになっている。
【００１４】
図３によって、１枚の布地２６と、リング部本体１７と、布地押さえリング１８とから収納体２を製造する方法を説明する。略円形状に形成された一枚の布地２６を、図３の（ア）に示されているように、防水加工が施された面を上にする。この防水加工された面が内側になるように、円形の周囲を絞るようにして全体をすぼめる。この状態が、図３の（イ）に示されているが、布地２６は、上部が開口した袋状に形成されている。リング部本体１７を袋の開口部に配置させ、図３の（ウ）に示されているように、布地２６の絞った周縁部をリング部本体１７の小径部２０に被せる。この状態で、布地押さえリング１８を袋の下方から挿入する。そうすると、布地押さえリング１８は、布地２６の絞られた周縁部を挟み込むようにして、リング部本体１７の小径部２０に嵌め合わされる。このようにして、図１の（イ）に示されているような収納体２が製造されている。
【００１５】
本実施の形態に係る折り畳み傘１と収納体２の組合せの作用を説明する。雨天時には、従来周知のように折り畳み傘１を開いて使用する。屋内に入ったり、雨があがったら、濡れた状態の折り畳み傘１を図１の（ア）に示されているように畳む。折り畳み傘１を、収納体２のリング部１５から挿入し、柄６をリング部１５に当接させる。リング部１５に対して柄６を回転すると、リング部１５に設けられている突起２２、２２、…が柄６の嵌合部８に設けられている浅い溝１０、１０、…に入ってスライドされ、柄６はリング部１５にしっかりと係合される。このとき、Ｏリング１１によって完全にシールされるので、柄６とリング１５は水密に結合される。これによって水が外部に漏れるのが防止される。
【００１６】
本実施の形態に係る折り畳み傘１と収納体２の組合せは色々変形が可能である。例えば、柄６やリング部本体１７は合成樹脂から形成されているように説明したが、アルミ合金等の金属から形成してもよい。同様に布地押さえリング１８もアルミ合金から形成されているように説明したが、他の金属や合成樹脂から形成してもよい。柄６の嵌合部８には浅い溝１０が、リング部１５には突起２２が形成されているように説明したが、それぞれ雄ネジと雌ネジが形成されていてもよい。また、柄６の形状についても色々変形が可能であり、必ずしもカップ状に形成する必要はない。
【符号の説明】
【００１７】
１    折り畳み傘                  ２    収納体
５    帯                          ６    柄
７    フランジ部                  ８    嵌合部
１０    浅い溝                    １１    Ｏリング
１２    溝                        １４    袋部
１５    リング部                  １７    リング部本体
１８    布地押さえリング          ２０    小径部
２１    大径部                    ２２    突起
２３    コネクタ                  ２４    ストラップ
２６    布地
【図１】
0003166994.tif 000003
【図２】
0003166994.tif 000004
【図３】
0003166994.tif 000005